(57)【要約】【課題】藻場造成の際に藻礁への海藻種苗の移植を簡便に行うことができるようにする。【解決手段】海藻種苗４を着生した種苗チップ５を取り付け可能にしたホルダ部材１３と、藻礁１に取り付け可能にしたベース部材９とからなり、ベース部材に対してホルダ部材を着脱可能に取り付け得るようにした。【選択図】図１０
2010110245.tif 000002
【特許請求の範囲】
【請求項１】
海藻種苗を着生させた種苗チップをホルダ部材に取り付け、
このホルダ部材を、海中に沈設した藻礁や岩礁等にあらかじめ固定してあるベース部材に着脱可能に取り付けるようにした
ことを特徴とする藻場造成方法。
【請求項２】
海藻種苗を着生させた種苗チップを取り付けるホルダ部材と、藻礁や岩礁等に固定するベース部材とからなり、
ホルダ部材をベース部材に着脱可能に取り付け得るようにした
ことを特徴とする海藻種苗取り付け器具。
【請求項３】
ベース部材とホルダ部材を合成樹脂にて構成したことを特徴とする請求項２記載の海藻種苗取り付け器具。
【発明の詳細な説明】
【技術分野】
【０００１】
本発明は、移植用の海藻種苗を簡便かつ確実に藻場造成区画に固定して海底に藻場を造成する藻場造成方法、及びこれに用いる海藻種苗取り付け器具に関するものである。
【背景技術】
【０００２】
ホンダワラ類やアラメやカジメ等大型藻類が繁茂する藻場は、有用魚介類に摂餌場所、隠れ場、産卵場所や仔稚の生育場所を提供するだけでなく、海域の栄養塩類を吸収することで水質浄化にも寄与していることが知られている。近年、日本沿岸では藻場が消滅したり縮小したりする、いわゆる磯焼けという現象が発生しており、各地で藻場を修復、復元するための藻場造成が積極的に企てられている。
【０００３】
従来から用いられている藻場造成方法にあっては、コンクリートブロックなどの人工物や、天然岩石など大型海藻の着生基質となる物質を藻場造成する区画に沈設して、大型海藻が自然に着生するのを期待する方法がある。
【０００４】
しかし、近隣に母藻となる海藻が繁茂していない場所では、自然着生が期待できず、また母藻となる海藻が近辺に存在していたとしても、藻場造成区画に新たに藻体が着生するかどうかは不確定な自然環境に左右されるため、藻場が形成されるまでに時間がかかるなど確実性において問題があった。
【０００５】
そこで、これらの問題を解決するための手段として、海藻の種苗を生産して、その種苗を藻場造成区画に移植するという方法がある。この海藻の種苗生産方法としては、例えば受精卵や胞子を海水に浸した平板状もしくは紐状の基質の上にまいて、基質の上に着生した幼体を種苗として育成することが行われている。
【０００６】
育成した海藻種苗を移植することにより、藻場を造成する方法としては、例えば下記する特許文献１〜４に記載される方法が知られている。
【０００７】
【特許文献１】特開２００２−２３８３８４号公報
【特許文献２】特開２００２−１７１８５４号公報
【特許文献３】特開２００２−１４２５８６号公報
【特許文献４】特開２００１−２６９０７８号公報
【０００８】
特許文献１には、海藻の種苗を付着させた生分解性の不織布からなるシート基材を水中ボンドなどの接着剤で藻場造成域に貼り付ける方法が開示されている。
【０００９】
また特許文献２には、海藻の種苗を付着させた紐状体を木製の平板の上に固定して、その木製の平板を水中ボンドもしくはボルトにて海中の着生基質に固定する方法が開示されている。
【００１０】
また特許文献３には、海藻の種子または胞子が付着したロープを巻き付けた木矢を、海中の構造物に設けた小溝に打ち込むことにより、この海中の構造物に海藻を着生させる方法が開示されている。
【００１１】
さらに特許文献４には、海藻の胞子を付着させた種糸を取り付けた部材を、水中で保持して海藻を育成させた後に、これを藻場を造成する場所に設置したアンカー部材に取り付けることにより、藻場を造成する方法が開示されている。
【発明の開示】
【発明が解決しようとする課題】
【００１２】
海藻種苗の取り付け作業は、ダイバーによる潜水作業になるため、多数の種苗を短時間で移植できるような簡便な方法が望まれている。しかしながら、上記した特許文献１及び特許文献２で開示されている方法では、海藻種苗を付着させた基質を水中ボンドなどの接着剤やボルトなどで藻場を造成する区画に固定する必要があった。
【００１３】
接着剤で固定する場合、この接着剤が二剤混合型の水中ボンドは混合するのに手間がかかる上、接着剤が硬化するまでに時間がかかるため、接着剤が硬化する前に取り付けた基質が流失してしまう可能性があった。
【００１４】
またボルトでの固定は、藻場造成区画の岩礁構造物にあらかじめ穿設してあるボルト孔に、各基質の１個ずつをボルトで締結しなければならず、この取り付け工数が多くなるという問題がある。
【００１５】
また上記特許文献１には、海藻種苗を着生させたシートをあらかじめ陸上（あるいは船上）で、岩礁構造物であるブロックの表面に貼り付けてから海中に沈設する方法も開示されているが、この方法は乾燥ストレスに対して脆弱な海藻種苗にダメージを与える可能性がある。またこの方法には、岩礁構造物の沈設の際に生じる複雑な水流などで、岩礁構造物の表面に貼り付けた海藻種苗が脱落してしまう危険性が大きいという問題もある。
【００１６】
また、特許文献３で開示されている方法は、木矢を打ち込むための溝をあらかじめ海中の構造物に設けておく必要があるため、適用できる藻場造成区画が限られていた。
【００１７】
さらに、特許文献４で開示された方法は、種糸を取り付けたブロックを海中に吊るして中間育成をした後に、海底に設置したアンカー部に着脱可能な方法で固定して藻場を構成するようになっているが、この方法には海底に藻場を形成するための海藻種苗を１度海中に垂下して中間育成を行うため、時間と手間がかかるという問題がある。また、移植用藻体の着生基質として重量物であるコンクリートブロックを利用することは、大規模に藻場を造成する際に、移植藻体の運搬や海底への取り付けに手間と費用がかかるという問題がある。
【００１８】
本発明は上記のことに鑑みなされたもので、藻場造成の際に藻礁への海藻種苗の移植を簡便に行うことができるようにした藻場造成方法及びこれに用いる海藻種苗取り付け器具を提供することを目的とするものである。
【課題を解決するための手段】
【００１９】
上記目的を達成するために、本発明に係る藻場造成方法は、海藻種苗を着生させた種苗チップをホルダ部材に取り付け、このホルダ部材を、海中に沈設した藻礁や岩礁等にあらかじめ固定してあるベース部材に着脱可能に取り付けるようにした。
【００２０】
また、本発明に係る海藻種苗取り付け器具は、海藻種苗を着生させた種苗チップを取り付けるホルダ部材と、藻礁や岩礁等に固定するベース部材とからなり、ホルダ部材をベース部材に着脱可能に取り付け得るようにした構成となっており、また上記ベース部材とホルダ部材を合成樹脂にて構成した。
【発明の効果】
【００２１】
本発明に係る藻場造成方法及びこれに用いる海藻種苗取り付け器具によれば、（１）小型で取り付けが容易であることから、多数の海藻種苗を短時間で移植することができること、（２）脱着が容易であることにより、メンテナンスも容易であること、（３）着生基質を小型化することができること、（４）確実に海藻種苗を藻礁に固定することができることで、初期減耗を低減できること等の作用効果を奏することができるものである。
【００２２】
すなわち、上記（１）のことは、これから沈設する藻場造成用の構造物、例えばコンクリート製の藻礁においては、陸上での上記構造物の作成時に、あらかじめ本発明のベース部材を構造物に取り付けておくことにより、潜水士による水中作業を極めて簡単なものにできる。これはベース部材が既に藻場造成区画に設置してある場合、水中では海藻種苗を着生させた種苗チップを取り付けたホルダ部材をベース部材に取り付けるだけでよく、この作業は工具を用いることなく容易に行うことができることによるものである。
【００２３】
また、本発明に係る海藻種苗取り付け器具にあっては、軽量な合成樹脂製であることから、移植資材の運搬や取り扱いが容易であり、水中の藻場造成区画において、潜水士が容易に多数の海藻種苗を短時間のうちに移植することが可能である。
【００２４】
また、既設の構造物や、天然の岩礁に本発明の海藻種苗取り付け器具を使用して、海藻種苗を移植するにあたっては、本発明のベース部材を既設の構造物や天然の岩礁にボルトや接着剤などで固定した後に、海藻種苗を着生させた種苗チップを取り付けたホルダ部材を、上記ベース部材に取り付けることにより藻場を造成することができる。
【００２５】
また、上記（２）のことにおいて、従来の海藻種苗の固定法である水中ボンドは、１度接着したものを取り外すことはできず、また金属製のボルトによる固定においても、付着物や錆などでボルトの取り外しが困難になることがあったが、本発明による海藻種苗取り付け器具にあっては、海藻種苗を取り付けるホルダ部材が藻礁に固定されたベース部材に対して容易に着脱できる仕様になっていることと、この海藻種苗取り付け器具が合成樹脂で構成されていることにより、移植した海藻種苗の一部または全部が消失した場合にも、新たな海藻種苗と容易に交換することができ、藻場を造成した後のメンテナンスも容易で安価にすることができる。
【００２６】
また、造成した藻場においては、移植した海藻種苗が母藻となって周辺に海藻群落を広げて藻場が形成されることが期待されるが、本発明による海藻種苗取り付け器具を使用することで、母藻となった移植海藻をホルダ部材ごと他の場所へ移植することが可能となり、より効率的に藻場が拡大されるように海藻の密度や性比などをコントロールすることが容易にできる。
【００２７】
また、上記（３）のことにおいて、移植後の脱落による初期減耗を低減するためには、着生基質にしっかりと活着させた海藻種苗を育成して移植することが望ましいが、培養施設において移植用海藻種苗を育成するにあたり、種苗を着生させる基質が小型であると、大型の基質に着生させた種苗を培養する場合と比べて、培養のためのスペースや水槽を小型化することができるため、培養作業にかかる費用や手間も削減することができる。
また、海藻種苗を取り付けた基質が小型で軽量であれば、培養施設から移植先までの輸送コストも低減することができる。
【００２８】
このように陸上の培養施設などで移植用海藻種苗を大量に生産して移植先に輸送する点から考えると、移植用海藻の着生基質は小型である方が望ましいが、その一方で潜水作業環境を勘案した場合、藻場造成区画への固定作業など、小さな着生基質を水中で取り扱うことには困難が伴うといった問題がある。
【００２９】
このことに対して本発明では、海藻を着生させた種苗チップを取り付けたホルダ部材を、藻場造成区画に固定したベース部材に取り付けることで藻場を造成するようにしていることにより、海藻種苗を着生させた種苗チップが小さいものであっても、この種苗チップをホルダ部材に取り付けた後、このホルダ部材をベース部材に取り付けるだけであるため、潜水作業においても取り扱いが容易となる。
【００３０】
さらに上記（４）のことにおいて、従来の海藻種苗の移植による藻場造成においては、移植種苗が基質に着生する前に剥離脱落してしまうことによる高い初期減耗率が問題であったが、本発明の方法にあっては、培養施設で種苗チップにしっかりと活着させた海藻種苗を、ホルダ部材に強固に取り付けることにより、移植後の海藻種苗の脱落による初期減耗を減少させることができる。
【００３１】
そして本発明の器具で移植された海藻種苗の付着器は、藻体の生長に伴い種苗チップを覆い尽くした後、この種苗チップを取り付けているホルダ部材に展開する。また、大きな付着器を形成する海藻類においては、付着器はベース部材にも活着して、より強固な付着力を得ることになる。
【発明を実施するための最良の形態】
【００３２】
本発明の実施の形態を図面に基づいて説明する。
【００３３】
図１は海底に沈設した藻礁１の表面、例えば上面を藻場造成面２とした状態を示すもので、この藻場造成面２には多数の海藻種苗取り付け器具３が固定されていて、この各海藻種苗取り付け器具（以下、単に取り付け器具という）３には、あらかじめ培養施設にて培養して海藻種苗４を着生させた種苗チップ５が取り付けられており、上記海藻種苗４が藻礁上で上記取り付け器具３の上面にて生長するようになっている。
【００３４】
図２は上記種苗チップ５の一例を示すもので、この種苗チップ５は厚さ３ｍｍの塩化ビニール板で、これの長方向に４個の穴６が一列状に並べて設けられており、その中央寄りの２個の穴は浅い溝７でつながった形状になっている。
【００３５】
図３、図４はこの種苗チップ５に海藻種苗４を取り付けた状態を示すものである。海藻種苗４は培養施設にてクレモナ（商品名、以下同じ）撚り糸８に着生させたものが用いられ、この海藻種苗４の取り付けは図３、図４に示すように、クレモナ撚り糸８に活着させた海藻種苗４の付着器部が結合している部分を溝７内に入れた状態で、クレモナ撚り糸８の両端部分を中央寄りの穴から裏側へ通し、ついで両端側の穴から表側へ通すようにしている。
【００３６】
次に上記取り付け器具３の実施例を以下に説明するが、以下の実施例によって本発明が限定されるものではない。
【実施例１】
【００３７】
図５から図１０は取り付け器具３の実施例１を示すもので、図中９は藻礁１に固定するベース部材であり、このベース部材９の上面中央部にはボルト座１０が凹設されていると共に、ボルト孔１１が設けてあり、ボルト座１０からボルト孔１１にボルトを挿通して藻礁１の藻場造成面２にあらかじめインサート等にて設けられているナット部材に螺合することにより、このベース部材９が藻場造成面２に固定されるようになっている。そしてこのベース部材９の上面には、これの上面を横切る方向に係合溝１２が設けてあり、この係合溝１２の断面形状は上側の開放部の対向間隔が底部の対向間隔より狭い、いわゆるアリ溝状になっている。そしてこの係合溝１２の平面形状は、長手方向の一端から他端にわたって徐々に狭くなるテーパ状になっている。
【００３８】
図中１３は上記ベース部材９に係脱自在に係合するホルダ部材で、このホルダ部材１３は板状になっていると共に、これの断面形状は上記ベース部材９の係合溝１２と同じ形状のいわゆるアリほぞ形状になっていて、ベース部材９の係合溝１２に摺動自在に係合するようになっている。そしてこのホルダ部材１３の幅は、一端から他端にわたって徐々に狭くなるテーパ状になっていて、これの上記係合溝１２に対する挿入端において、このホルダ部材１３が係合溝１２にくさび係合するようになっている。
【００３９】
上記ホルダ部材１３の上記ベース部材９の係合溝１２への挿入方向の中間部に、上記種苗チップ５が取り付けられる種苗チップ取り付け溝１４が、上記挿入方向と直角方向に設けられている。
【００４０】
この種苗チップ取り付け溝１４は、上側の開放部の対向間隔を種苗チップ５の幅より狭くしたアリ溝状になっていると共に、溝全体の対向間隔が種苗チップ５の挿入方向にわたって徐々に狭くなるテーパ状になっていて、種苗チップ５の挿入端において、この種苗チップ５がこの溝１４にくさび係合するようになっている。また、この種苗チップ取り付け溝１４の幅方向中央部には、図４にて示される種苗チップ５の裏側に出ているクレモナ撚り糸８を逃がすための溝１５が種苗チップ５の挿入方向にわたって設けてある。
【００４１】
この実施例における種苗チップ取り付け溝１４は、ホルダ部材１３のベース部材９の係合溝１２への挿入方向と直角方向に設けられていることにより、ホルダ部材１３に取り付けた状態の種苗チップ５は、このホルダ部材１３を上記ベース部材９の係合溝１２へ係合した状態で、これの係合方向の両端がベース部材９の係合溝１２の内側に対向して抜け出るのが防止される。
【実施例２】
【００４２】
図１１から図１５は、取り付け器具３の実施例２を示すもので、図中１６は上記藻礁１に固定するベース部材であり、このベース部材１６は円柱状になっていて、これの外周に雄ねじ１７が設けてある。そしてこれの上面の中央部には、ボルト座１８が凹設されていると共にボルト孔１９が設けてあり、ボルト座１８からボルト孔１９にボルトを挿通して上記藻礁１の藻場造成面２にあらかじめインサート等にして設けられているナット部材に螺合することにより、このベース部材１６が藻場造成面２に固定されるようになっている。
【００４３】
図中２０は上記ベース部材１６に係脱自在に係合するホルダ部材で、このホルダ部材２０は上記ベース部材１６の高さより浅くした椀状になっていて、これの円筒部の内面に上記ベース部材１６の雄ねじ１７に螺合する雌ねじ２１が設けてある。また、このホルダ部材２０の上面に、上記種苗チップ５が取り付けられる種苗チップ取り付け溝２２がホルダ部材２０の上面を横切る方向に設けられている。このホルダ部材２０の外周面には、滑り止めの凸条２３が設けてある。
【００４４】
上記種苗チップ取り付け溝２２は、上側の開放部の対向間隔を種苗チップ５の幅より狭くしたアリ溝状になっていると共に、溝全体の対向間隔が種苗チップ５の挿入方向にわたって徐々に狭くなるテーパ状になっていて、種苗チップ５の挿入端において、この種苗チップ５がこの溝２２にくさび係合するようになっている。また、この溝２２にも種苗チップ５の裏側に出っ張るクレモナ撚り糸８を逃がすための溝２４が設けてある。
【００４５】
図１６、図１７は、実施例２の変形例を示すものである。
【００４６】
上記した実施例２のものは、ベース部材１６に対してホルダ部材２０をねじ結合するようにしたが、図１６に示すようにベース部材１６ａの側面の円周方向２個所にカムピン２５を突設し、このカムピン２５にホルダ部材２０ａの円筒部に設けたカム溝２６が係脱可能に係合するようにしてもよい。
【００４７】
また図１７に示すように、ベース部材１６ｂにホルダ部材２０ｂを嵌合した状態で、この両者を貫通する２つのピン穴２７，２７を、例えば十文字状に設けておき、これのいずれか１つのピン穴２７にピン２８を挿通することにより、ベース部材１６ｂとホルダ部材２０ｂとを係合するようにしてもよい。このピン２８は容易に挿入可能であるが簡単には抜け出ないように、例えばテーパピンが用いられる。
【００４８】
なお、図１８は上記実施例１におけるホルダ部材の変形例を示すもので、ベース部材にねじ込み固定するホルダ部材２０ｃの頂面に設けられる取り付け溝２２ａは行き止まり形状になっている。そしてこれの両側部の断面形状はコ字状になっていると共に、これの両側の溝部２２ｂの空間の高さは、挿入方向奥側が種苗チップ５の厚さよりわずかに低くなっていて、取り付け溝２２ａに挿入される種苗チップ５の両側部が、この溝部２２ｂの内側上面にて抜けないように押えられるようになっている。また、取り付け溝２２ａの入口部上面には、取り付け溝２２ａに挿入した種苗チップ５の後端に当接して抜け方向に係合する突起２９が設けてある。
【００４９】
上記下各実施例にあっては、ベース部材９，１６，１６ａ，１６ｂをボルトを用いて藻礁１に固定する例を示したが、これらをボルト以外、例えば接着剤にて固定するようにしてもよい。また、コンクリート製の藻礁に設置する場合には、ベース部材９，１６，１６ａ，１６ｂをあらかじめ藻礁のコンクリート内に埋設してもよい。
【００５０】
またホルダ部材１３，２０，２０ａ，２０ｂ，２０ｃの種苗チップ取り付け溝１４，２２，２２ａは図２に示した構成の種苗チップ５を用いるための構成を示したが、種苗チップとしてはこの図２に示したものに限るものではなく、したがって各ホルダ部材の種苗チップ取り付け溝は、各種苗チップが取り付けられるように適宜な構成にするようにしてもよい。
【００５１】
また上記各実施例における各部材は、ポリプロピレン等の合成樹脂にて構成されている。
【００５２】
次に上記構成の海藻種苗取り付け器具３を用いた藻場造成方法について説明する。
【００５３】
まず陸上において、図１に示した海底に沈設する藻礁１に上記した海藻種苗取り付け器具３のベース部材９，１６，１６ａ，１６ｂを取り付けるためのボルトが螺合するナット部材を多数インサートする。このナット部材のインサートは、上記藻礁１がコンクリートブロックである場合にはこの成形時に、また自然石の場合にはドリル穿孔により行う。
【００５４】
その後、この藻礁１の各ナット部材に、上記した各実施例にて示したいずれかの取り付け器具３のベース部材９（１６，１６ａ，１６ｂ）をボルトにて取り付ける。そしてこのようにした藻礁１を藻場造成区画の所定の位置に沈設する。
【００５５】
一方、上記藻礁１へのナット部材のインサート作業後、あるいはこれと並行してホルダ部材１３（２０，２０ａ，２０ｂ，２０ｃ）に、あらかじめ培養施設にて海藻種苗を着生させた種苗チップ５を取り付ける。このときの種苗チップ５は、ホルダ部材１３（２０，２０ａ，２０ｂ，２０ｃ）の種苗チップ取り付け溝１４（２２，２２ａ）が、これの断面形状がアリ溝状に形成されていると共に、平面形状がテーパ状になっていることにより、及び抜け止め用の突起２９があることにより挿入方向に押し切ることにより、この溝１４（２２，２２ａ）に強固に取り付けられる。
【００５６】
このホルダ部材１３（２０，２０ａ，２０ｂ，２０ｃ）への上記種苗チップ５の取り付けは、この種苗チップ５に着生している海藻種苗は乾燥に対して脆弱であるため、水中（海水）で行うことが望ましい。
【００５７】
その後、上記ホルダ部材１３（２０，２０ａ，２０ｂ，２０ｃ）を潜水作業にて上記藻礁１に固定した各ベース部材９（１６，１６ａ，１６ｂ）に取り付ける。
【００５８】
このときにおいて、実施例１におけるホルダ部材１３にあっては、これをベース部材９の係合溝１２に終端まで挿入することにより固定される。また実施例２におけるホルダ部材２０は、ベース部材１６にねじ込みにより、また他のホルダ部材２０ａはカム係合により、さらに他のホルダ部材２０ｂは、ベース部材に嵌合してから、この両者を貫通するピン穴２７にピン２８を挿入することにより結合する。
【００５９】
上記各ホルダ部材１３，２０，２０ａ，２０ｂ，２０ｃに対する各ベース部材９，１６，１６ａ，１６ｂの係合は、テーパ溝係合、ねじ係合、カム溝係合、ピン係合であることにより、潜水作業であっても極めて容易に行うことができる。
【００６０】
なお上記実施の形態では、各取り付け器のベース部材を取り付けるためのナット部材の藻礁へのインサートを陸上にて行う例を示したが、上記藻礁に海底の自然岩石を用いる場合には、これへのナット部材のインサートは潜水作業にて行う。
【００６１】
また、本発明における取り付け器具３にあっては、藻礁１に取り付けるベース部材９，１６，１６ａ，１６ｂと、これに対して着脱可能にしたホルダ部材１３，２０，２０ａ，２０ｂ，２０ｃとからなり、上記ベース部材を藻礁１に取り付けた後に取り外すことはほとんど行われない。したがって、このベース部材の藻礁への取り付けは接着剤にて行ってもよいし、藻礁の作成時にコンクリート内に埋設してもよい。
【図面の簡単な説明】
【００６２】
【図１】藻礁に海藻種苗取り付け器具を取り付けた状態を示す斜視図である。
【図２】種苗チップを示す斜視図である。
【図３】種苗チップに海藻種苗を取り付けた状態を示す斜視図である。
【図４】図３のＡ−Ａ矢視断面図である。
【図５】実施例１における海藻種苗取り付け器具のベース部材を示す平面図である。
【図６】図５のＢ−Ｂ矢視一部断面図である。
【図７】ホルダ部材を示す平面図である。
【図８】図７のＣ矢視図である。
【図９】図７のＤ−Ｄ矢視断面図である。
【図１０】実施例１における海藻種苗取り付け器具を示す斜視図である。
【図１１】実施例２における海藻種苗取り付け器具のベース部材を示す平面図である。
【図１２】図１１のＥ−Ｅ矢視一部断面図である。
【図１３】ホルダ部材を示す平面図である。
【図１４】図１３のＦ−Ｆ矢視一部断面図である。
【図１５】実施例２における海藻種苗取り付け器具を示す斜視図である。
【図１６】実施例２の他例を示す斜視図である。
【図１７】実施例２の他例を示す斜視図である。
【図１８】実施例１におけるホルダ部材の変形例を示す斜視図である。
【符号の説明】
【００６３】
１…藻礁、２…藻場造成面、３…海藻種苗取り付け器具、４…海藻種苗、５…種苗チップ、６…穴、７…溝、８…クレモナ撚り糸、９，１６，１６ａ，１６ｂ…ベース部材、１０，１８…ボルト座、１１，１９…ボルト孔、１２…係合溝、１３，２０，２０ａ，２０ｂ，２０ｃ…ホルダ部材、１４，２２，２２ａ…種苗チップ取り付け溝、２２ｂ…溝部、１５，２４…溝、１７…雄ねじ、２１…雌ねじ、２３…凸条、２５…カムピン、２６…カム溝、２７…ピン穴、２８…ピン、２９…突起。
【図１】
2010110245.tif 000003
【図２】
2010110245.tif 000004
【図３】
2010110245.tif 000005
【図４】
2010110245.tif 000006
【図５】
2010110245.tif 000007
【図６】
2010110245.tif 000008
【図７】
2010110245.tif 000009
【図８】
2010110245.tif 000010
【図９】
2010110245.tif 000011
【図１０】
2010110245.tif 000012
【図１１】
2010110245.tif 000013
【図１２】
2010110245.tif 000014
【図１３】
2010110245.tif 000015
【図１４】
2010110245.tif 000016
【図１５】
2010110245.tif 000017
【図１６】
2010110245.tif 000018
【図１７】
2010110245.tif 000019
【図１８】
2010110245.tif 000020
【手続補正書】
【提出日】平成20年11月6日(2008.11.6)
【手続補正１】
【補正対象書類名】明細書
【補正対象項目名】００４８
【補正方法】変更
【補正の内容】
【００４８】
なお、図１８は上記実施例２におけるホルダ部材の変形例を示すもので、ベース部材にねじ込み固定するホルダ部材２０ｃの頂面に設けられる取り付け溝２２ａは行き止まり形状になっている。そしてこれの両側部の断面形状はコ字状になっていると共に、これの両側の溝部２２ｂの空間の高さは、挿入方向奥側が種苗チップ５の厚さよりわずかに低くなっていて、取り付け溝２２ａに挿入される種苗チップ５の両側部が、この溝部２２ｂの内側上面にて抜けないように押えられるようになっている。また、取り付け溝２２ａの入口部上面には、取り付け溝２２ａに挿入した種苗チップ５の後端に当接して抜け方向に係合する突起２９が設けてある。
【手続補正２】
【補正対象書類名】明細書
【補正対象項目名】００６２
【補正方法】変更
【補正の内容】
【００６２】
【図１】藻礁に海藻種苗取り付け器具を取り付けた状態を示す斜視図である。
【図２】種苗チップを示す斜視図である。
【図３】種苗チップに海藻種苗を取り付けた状態を示す斜視図である。
【図４】図３のＡ−Ａ矢視断面図である。
【図５】実施例１における海藻種苗取り付け器具のベース部材を示す平面図である。
【図６】図５のＢ−Ｂ矢視一部断面図である。
【図７】ホルダ部材を示す平面図である。
【図８】図７のＣ矢視図である。
【図９】図７のＤ−Ｄ矢視断面図である。
【図１０】実施例１における海藻種苗取り付け器具を示す斜視図である。
【図１１】実施例２における海藻種苗取り付け器具のベース部材を示す平面図である。
【図１２】図１１のＥ−Ｅ矢視一部断面図である。
【図１３】ホルダ部材を示す平面図である。
【図１４】図１３のＦ−Ｆ矢視一部断面図である。
【図１５】実施例２における海藻種苗取り付け器具を示す斜視図である。
【図１６】実施例２の他例を示す斜視図である。
【図１７】実施例２の他例を示す斜視図である。
【図１８】実施例２におけるホルダ部材の変形例を示す斜視図である。
【手続補正３】
【補正対象書類名】図面
【補正対象項目名】図１８
【補正方法】変更
【補正の内容】
【図１８】
2010110245.tif 000021